(57)【要約】【課題】より一層安全なハンドミキサー用スタンドを提供する。【解決手段】ミキサー保持部３を閉位置で固定する閉固定部４ａと、ミキサー保持部３を開位置で固定する開固定部４ｂとを、貫通孔ではなく、回転軸２ａから離れた回転板４の外周部に設ける。【選択図】図１
2012148061.tif 000002
【特許請求の範囲】
【請求項１】
調理物を入れるボウルを着脱自在な台座と、
前記台座の上部に設けられた回動軸に回動自在に設けられ、ハンドミキサー本体を着脱自在に保持するミキサー保持部と、
前記ミキサー保持部の回動動作を規制する回動規制部と、
を備え、
前記回動規制部は、
前記ミキサー保持部に一体的に設けられた回転板と、
前記台座の内部に向かって進退移動可能なスタンドスイッチと、
前記スタンドスイッチに一体的に設けられたスイッチ軸と、
を備え、
前記回動軸から前記回転板の離れた外周部には、前記スイッチ軸と係合することにより、前記ハンドミキサー本体に取り付けられたビータが前記ボウル内に位置するように前記ミキサー保持部を閉位置で固定する閉固定部と、前記ビータが前記ボウル内から退避するように前記ミキサー保持部を開位置で固定する開固定部とが設けられている、
ハンドミキサー用スタンド。
【請求項２】
前記回動規制部は、前記スイッチ軸が前記回動板の外周部に接触するように前記スタンドスイッチを付勢する付勢部材をさらに備える、請求項１に記載のハンドミキサー用スタンド。
【発明の詳細な説明】
【技術分野】
【０００１】
本発明は、家庭用又は業務用に使用するハンドミキサーを保持するためのスタンドに関するものである。
【背景技術】
【０００２】
従来、この種のハンドミキサー用スタンドとしては、図４に示す構造のものが知られている（例えば、特許文献１：特開昭５７−１１９７１５号公報参照）。
【０００３】
図４において、従来のハンドミキサー用スタンド１０１は、台座１０２と、ハンドミキサー本体１１１を着脱自在に保持するミキサー保持部１０３とを備えている。台座１０２は、調理物を入れるボウル１１２を着脱可能に構成されている。台座１０２の上部には、回動軸１０２ａが設けられている。この回動軸１０２ａにミキサー保持部１０３が回動自在に設けられている。
【０００４】
ミキサー保持部１０３には、回転板１０４が一体的に設けられている。回転板１０４は、ミキサー保持部１０３の回動動作に伴って回動軸１０２ａを中心として回動する。回転板１０４には、回転軸１０２ａを中心とした概ね円弧形状の貫通孔１０４ａが設けられている。
【０００５】
台座１０２の側面には、スタンドスイッチ１０５が台座１０２の内部に向かって進退移動可能に設けられている。スタンドスイッチ１０５は、台座１０２の内部に設けられたバネ１０６により台座１０２の外方に向けて付勢されている。スタンドスイッチ１０５には、スイッチ軸１０５ａが一体的に設けられている。スイッチ軸１０５ａが貫通孔１０４ａに係合することにより、ミキサー保持部１０３の回動動作が規制される。
【０００６】
貫通孔１０４ａには、スイッチ軸１０５ａと係合することにより、ハンドミキサー本体１１１に取り付けられたビータ１１３がボウル１１２内に位置するようにミキサー保持部１０３を閉位置（図４に示す位置）で固定する閉固定部１０４ｂが設けられている。図４に示す状態でビータ１１３を回転させることにより、ボウル１１２内の調理物に対して泡立てなどの調理を行うことができる。
【０００７】
また、貫通孔１０４ａには、スイッチ軸１０５ａと係合することにより、ビータ１１３がボウル１１２内から退避するようにミキサー保持部１０３を開位置で固定する開固定部１０４ｃが設けられている。ビータ１１３がボウル１１２内から退避することで、台座１０２に対してボウル１１２を容易に着脱することができる。
【先行技術文献】
【特許文献】
【０００８】
【特許文献１】特開昭５７−１１９７１５号公報
【発明の概要】
【発明が解決しようとする課題】
【０００９】
前記構成を有する従来のハンドミキサー用スタンドにおいては、子供などが指を貫通孔１０４ａに挟まれ、容易に引き抜くことができないことがあった。また、この状態で、誤ってスタンドスイッチ１０５が押されることにより、開固定部１０４ｃによるミキサー保持部１０３の開位置での固定が解除された後、ミキサー保持部１０３が自重等により開位置から閉位置へ回動することによって、指を怪我することがあった。
【００１０】
従って、本発明の目的は、前記問題を解決することにあって、より一層安全なハンドミキサー用スタンドを提供することにある。
【課題を解決するための手段】
【００１１】
前記従来の課題を解決するために、本発明は以下のように構成する。
本発明の第１態様によれば、調理物を入れるボウルを着脱自在な台座と、
前記台座の上部に設けられた回動軸に回動自在に設けられ、ハンドミキサー本体を着脱自在に保持するミキサー保持部と、
前記ミキサー保持部の回動動作を規制する回動規制部と、
を備え、
前記回動規制部は、
前記ミキサー保持部に一体的に設けられた回転板と、
前記台座の内部に向かって進退移動可能なスタンドスイッチと、
前記スタンドスイッチに一体的に設けられたスイッチ軸と、
を備え、
前記回動軸から離れた前記回転板の外周部には、前記スイッチ軸と係合することにより、前記ハンドミキサー本体に取り付けられたビータが前記ボウル内に位置するように前記ミキサー保持部を閉位置で固定する閉固定部と、前記ビータが前記ボウル内から退避するように前記ミキサー保持部を開位置で固定する開固定部とが設けられている、
ハンドミキサー用スタンドを提供する。
【００１２】
本発明の第２態様によれば、前記回動規制部は、前記スイッチ軸が前記回動板の外周部に接触するように前記スタンドスイッチを付勢する付勢部材をさらに備える、第１態様に記載のハンドミキサー用スタンドを提供する。
【発明の効果】
【００１３】
本発明のハンドミキサー用スタンドによれば、前記閉固定部及び開固定部を、貫通孔ではなく、回転軸から離れた回転板の外周部に設けるようにしているので、回転板に指が挟まることがない。従って、より一層安全なハンドミキサー用スタンドを提供することができる。
【図面の簡単な説明】
【００１４】
【図１】本発明の実施形態にかかるハンドミキサー用スタンドの構造を一部切り欠いて示す側面図であって、ミキサー保持部が閉位置に位置する状態を示す図である。
【図２】本発明の実施形態にかかるハンドミキサー用スタンドの構造を一部切り欠いて示す側面図であって、ミキサー保持部が開位置に位置する状態を示す図である。
【図３】図１に示すハンドミキサー用スタンドにおいて、スタンドスイッチを台座の内部に向けて押した時の回転板に関連する部品の状態を示す部分拡大断面図である。
【図４】従来のハンドミキサー用スタンドの構造を一部切り欠いて示す側面図であって、ミキサー保持部が閉位置に位置する状態を示す図である。
【発明を実施するための形態】
【００１５】
以下、本発明の実施形態について、図面を参照しながら説明する。
【００１６】
（実施形態）
図１及び図２は、本発明の実施形態にかかるハンドミキサー用スタンドの構造を一部切り欠いて示す側面図である。
【００１７】
図１において、本実施形態にかかるハンドミキサー用スタンド１は、台座２と、ハンドミキサー本体１１を着脱自在に保持するミキサー保持部３とを備えている。台座２は、調理物を入れるボウル１２を着脱可能に構成されている。台座２の上部には、回動軸２ａが設けられている。この回動軸２ａにミキサー保持部３が回動自在に設けられている。
【００１８】
ミキサー保持部３には、回転板４が一体的に設けられている。回転板４は、ミキサー保持部３の回動動作に伴って回動軸２ａを中心として回動する。
【００１９】
台座２の側面には、スタンドスイッチ５が台座２の内部に向かって進退移動可能に設けられている。スタンドスイッチ５は、台座２の内部に設けられた付勢部材の一例であるバネ６により台座２の外方に向けて付勢されている。スタンドスイッチ５には、スイッチ軸５ａが一体的に設けられている。バネ６は、スイッチ軸５ａが回動板４の外周部に接触するようにスタンドスイッチ５を付勢する。
【００２０】
回動軸２ａから離れた回転板４の外周部には、スイッチ軸５ａと係合することにより、ハンドミキサー本体１１に取り付けられたビータ１３がボウル１２内に位置するようにミキサー保持部３を閉位置（図１に示す位置）で固定する閉固定部４ａが設けられている。閉固定部４ａは、例えば、凹形状に形成されている。図１に示す状態で、モータ（図示せず）の駆動力などによってビータ１３を回転させることにより、ボウル１２内の調理物に対して泡立てなどの調理を行うことができる。なお、この際、ボウル１２は台座２に載置されるので、使用者は、ハンドミキサー本体１１を持ち続けることなく、自動的に調理を行うことができる。
【００２１】
また、回動軸２ａから離れた回転板４の外周部には、スイッチ軸５ａと係合することにより、ビータ１３がボウル１２内から退避するようにミキサー保持部３を開位置（図２に示す位置）で固定する開固定部４ｂが設けられている。開固定部４ｂは、例えば、凹形状に形成されている。ビータ１３がボウル１２内から退避することで、台座２に対してボウル１２を容易に着脱することができる。
【００２２】
また、回動軸２ａから離れた回転板４の外周部には、回動軸２ａを中心とする円弧状部４ｃが設けられている。閉固定部４ａと開固定部４ｂとは、円弧状部４ｃにより接続されている。
【００２３】
図３は、ミキサー保持部３が閉位置に位置する際に、スタンドスイッチ５を台座２の内部に向けて押した時の回転板４に関連する部品の状態を示す部分拡大断面図である。スタンドスイッチ５をバネ６の付勢力に抗して台座２の内部に向けて押すことにより、図３に示すように、スイッチ軸５ａと閉固定部４ａとの係合が外れる。これにより、回転板４は、回動軸２ａを中心として回動することが可能になる。
【００２４】
なお、本実施形態では、回転板４とスタンドスイッチ５とスイッチ軸５ａとバネ６により、ミキサー保持部３の回動動作を規制する回動規制部を構成したが、本発明はこれに限定されない。
【００２５】
本実施形態にかかるハンドミキサー用スタンドによれば、閉固定部４ａ及び開固定部４ｂを、貫通孔ではなく、回転軸２ａから離れた回転板４の外周部に設けるようにしているので、回転板４に指が挟まることがない。従って、より一層安全なハンドミキサー用スタンドを提供することができる。
【００２６】
本発明は、添付図面を参照しながら好ましい実施形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００２７】
本発明にかかるハンドミキサー用スタンドは、家庭用又は業務用のハンドミキサー用スタンドとして有用である。
【符号の説明】
【００２８】
１    ハンドミキサー用スタンド
２    台座
３    ミキサー保持部
４    回転板
４ａ  閉固定部
４ｂ  開固定部
４ｃ  円弧状部
５    スタンドスイッチ
５ａ  スイッチ軸
６    バネ（付勢部材）
１１    ハンドミキサー本体
１２    ボウル
１３    ビータ
【図１】
2012148061.tif 000003
【図２】
2012148061.tif 000004
【図３】
2012148061.tif 000005
【図４】
2012148061.tif 000006